(57)【要約】      （修正有）【課題】食べ物を快速に加熱することができ、且つ煙をろ過するための吸引ろ過器が組み付けられている食品調理器を提供する。【解決手段】吸引ろ過器３が組み付けられた本体１を有し、前記本体１の外側には通気蓋１５が固定されており、通気蓋１５の上端には力加え片１５１が形成されており、本体１には力加え片１５１が固定されており、且つ本体１の吸引ろ過器３に対応する箇所では吸込み穴１７が開設されており、本体１にはコネクタ２２が枢着されており、コネクタ２２にはカバー２が固定されており、カバー２の枢着端が力加え片１５１に対応している。【選択図】図１
0003148531.tif 000002
【実用新案登録請求の範囲】
【請求項１】
吸引ろ過器が組み付けられた本体を有し、
前記本体の外側には通気蓋が固定されてあり、
前記通気蓋の上端には力加え片が形成されてあり、
前記本体には前記力加え片が固定されてあり、且つ前記本体の前記吸引ろ過器に対応する箇所では吸込み穴が開設されてあり、
前記本体にはコネクタが枢着されてあり、
前記コネクタにはカバーが固定されてあり、
前記カバーの枢着端が前記力加え片に対応していることを特徴とする、
食品調理器。
【請求項２】
前記本体に、吸引ろ過器が組み付けられた収容部が形成されていることを特徴とする、請求項１に記載の食品調理器。
【請求項３】
前記吸引ろ過器はファンであり、その外側にフィルタが設けられていることを特徴とする、請求項１に記載の食品調理器。
【考案の詳細な説明】
【技術分野】
【０００１】
本考案は、食品調理器に関し、特に、食べ物を快速に加熱することができ、且つ煙をろ過するための吸引ろ過器が組み付けられている食品調理器に関するものである。
【背景技術】
【０００２】
目下、国民の生活が忙しくなっており、どの様にして仕事をする効率を向上するかが極めて重要な課題になり、そのような背景の下で、食べ物の調理速度を速くするための食品調理器が次々と開発されている。
【０００３】
従来の食品調理器は、本体を有し、前記本体の底部にはヒータが組み付けられており、前記ヒータには制御ツマミが設けられており、前記制御ツマミが前記本体の前面の壁に組み付けられており、且つ前記ヒータの上には食材を収容するための容器が設けられており、前記本体の上端にはカバーが枢着されており、前記カバーにより前記本体を密封することができる。
【０００４】
しかしながら、従来の食品調理器によれば、食べ物を調理しているときに発生する煙をろ過するためのものが組み付けられていないので、カバーを開けると煙が外部に漏れ出す問題があった。
【考案の開示】
【考案が解決しようとする課題】
【０００５】
本考案の主な目的は、食べ物を快速に加熱することができ、且つ煙をろ過するための吸引ろ過器が組み付けられている食品調理器を提供することにある。
【課題を解決するための手段】
【０００６】
本願の第１考案に記載の食品調理器によると、吸引ろ過器が組み付けられた本体を有し、前記本体の外側には通気蓋が固定されてあり、前記通気蓋の上端には力加え片が形成されてあり、前記本体には前記力加え片が固定されてあり、且つ前記本体の前記吸引ろ過器に対応する箇所では吸込み穴が開設されてあり、前記本体にはコネクタが枢着されてあり、前記コネクタにはカバーが固定されてあり、前記カバーの枢着端が前記力加え片に対応していることを特徴とする。
【０００７】
本願の第２考案に記載の食品調理器によると、前記本体には、吸引ろ過器が組み付けられた収容部が形成されている。
本願の第３考案に記載の食品調理器によると、前記吸引ろ過器は、ファンであり、その外側にはフィルタが設けられている。
【考案の効果】
【０００８】
本考案の食品調理器によれば、次のような効果がある。
（１）食べ物を快速に加熱することができる。
（２）本体には吸引ろ過器が組み付けられており、吸引ろ過器の外側にはフィルタが設けられており、食べ物を調理しているときに発生する煙は、本体から吸い込まれてフィルタにろ過された後、通気蓋から外部に排出され、煙の油分がフィルタに吸収されるので、周りの空気が何時も清浄な状態に維持され可能である。
【考案を実施するための最良の形態】
【０００９】
以下、本考案の実施の形態を図面に基づいて説明する。
まず、図１及び図２を参照する。本考案に係る食品調理器は、本体１と、カバー２と、吸引ろ過器３と、を含む。
【００１０】
前記本体１は、略矩形を呈する容器であり、その底部にはヒータ１１が組み付けられている。
前記ヒータ１１には制御ツマミ１２が設けられており、前記制御ツマミ１２が前記本体１の前面の壁に組み付けられている。また、前記ヒータ１１の上には食材を収容するための容器１３が設けられている。
前記容器１３の壁面にはテフロン（登録商標）層が形成されている。
前記本体１の後側の外面には収容部１４が形成されている。
前記収容部１４には吸引ろ過器３が組み付けられており、前記収容部１４の外側には煙をろ過するための通気蓋１５が固定されている。
前記通気蓋１５は、上端には力加え片１５１が設けられており、下端には突片１５２が複数に設けられている。
前記収容部１４に前記通気蓋１５を固定すると前記収容部１４が密封されるようになっている。
また、前記本体１の内壁面には突起１６が形成されており、前記突起１６により前記容器１３と前記本体１との間には隙間１６１が形成されている。
また、前記カバー２と前記本体１との枢着箇所では、前記収容部１４に応じて煙を吸込むための吸込み穴１７が複数に開設されている。
また、前記カバー２と前記本体１との枢着箇所の両側には組付け穴１８がそれぞれ開設されており、これらの組付け穴１８には前記カバー２のコネクタ２２が枢着されている。
【００１１】
前記カバー２の後側の中央には突出段２１形成されており、前記突出段２１の内側にはコネクタ２２が固定されている。
前記コネクタ２２の両側の内壁面には枢着ピン２２１がそれぞれ形成されており、これらの枢着ピン２２１がそれぞれ前記組付け穴１８に挿入されており、その際、煙の外部への漏れ出しがなくなる。
【００１２】
前記吸引ろ過器３は、ファンである。その軸心にはモータ台３１が連接されており、その外側にはフィルタ３２が設けられており、食べ物を調理しているときに発生する煙は、本体１の吸込み穴１７から吸い込まれてフィルタ３２にろ過された後、通気蓋１５から外部に排出され、煙の油分がフィルタ３２に吸収される。したがって、周りの空気が何時も清浄な状態に維持することが可能となる。
【００１３】
次に、図１及び図２を参照しながら本考案の組付方法を説明する。
まず、前記本体１の上に前記カバー２を対向して、前記本体１に開設された組付け穴１８に前記コネクタ２２の両側にある枢着ピン２２１を枢着する。次に、前記本体１の後側にある収容部１４に前記吸引ろ過器３のモータ台３１を組付ける。次に、前記通気蓋１５の内側に前記フィルタ３２を付けて、前記収容部１４の開口の内側に前記通気蓋１５の底端に設けられた各突片１５２を寄せて、前記収容部１４の開口に前記通気蓋１５の上端に設けられた力加え片１５１を嵌め込むと、前記通気蓋１５と前記フィルタ３２とが前記収容部１４の開口に固定されるようになる。
【００１４】
次に、図３を参照しながら本考案の使用状態を説明する。
まず、前記本体１の容器１３に食べ物を入れて前記カバー２を被せ、前記制御ツマミ１２を旋回することにより加熱時間を設定すると、前記本体１の底部のヒータ１１により前記食べ物が加熱される。
前記本体１の内壁面に設けられた突起１６により前記容器１３と前記本体１との間には隙間１６１が形成されているので、食べ物からの煙が前記隙間１６１を経由して吸込み穴１７に入る。
加熱が終了すると、前記食べ物を取出して食べることができる。
前記カバー２を開けているときには、図４及び図５に示すように、前記カバー２の後側に設けられた突出段２１が前記通気蓋１５の上端に設けられた力加え片１５１に当接して規制される。
このとき、吸引ろ過器３が起動されて、煙が前記本体１の吸込み穴１７を経由して前記フィルタ３２にろ過されて前記通気蓋１５から外部に排出されるので、周りの空気が何時も清浄な状態に維持され可能である。
【００１５】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１６】
【図１】本考案の分解斜視図である。
【図２】本考案の組立て状態の斜視図である。
【図３】本考案に係るカバーが閉じられた状態の側面断面図である。
【図４】本考案に係るカバーが開けられた状態の側面断面図である。
【図５】本考案に係るカバーが開けられた状態の側面断面拡大図である。
【符号の説明】
【００１７】
１：本体
２：カバー
３：吸引ろ過器
１１：ヒータ
１２：制御ツマミ
１３：容器
１４：収容部
１５：通気蓋
１６：突起
１７：吸込み穴
１８：組付け穴
２１：突出段
２２：コネクタ
３１：モータ台
３２：フィルタ
１５１：力加え片
１５２：突片
１６１：隙間
２２１：枢着ピン。
【図１】
0003148531.tif 000003
【図２】
0003148531.tif 000004
【図３】
0003148531.tif 000005
【図４】
0003148531.tif 000006
【図５】
0003148531.tif 000007